(57)【特許請求の範囲】
【請求項１】
携帯型電子機器の本体に着脱自在に装着された小型電池パック及び大型電池パックを充電する携帯型電子機器の充電装置であって、前記各電池パックが装着された前記本体及び制御部アダプタを介して前記各電池パックが装着された前記本体の下部が収容できる大きさのポケットを有する充電器本体と、前記ポケットの内底面に設けられ、かつ前記ポケット内に収容された前記各電池パックの背面が当接する前記ポケットの後壁との間で前記本体の収容位置を規定すると共に、前記制御部アダプタに形成されたガイド溝に嵌入自在なガイド手段とを具備したことを特徴とする携帯型電子機器の充電装置。
【請求項２】
前記ポケット内に収容された前記各電池パックの背面が当接する前記ポケットの後壁に、前記大型電池パックの背面に突設された突出部が嵌入する凹部を形成してなる請求項１に記載の携帯型電子機器の充電装置。
【請求項３】
前記ガイド手段を、クサビ状をなす複数の突起により形成してなる請求項１または２に記載の携帯型電子機器の充電装置。
【請求項４】
前記ポケットの内底面に傾斜する排水路を形成し、かつ前記排水路の最下部を、前記ポケットの側壁に形成した切欠きに連通させてなる請求項１ないし３の何れか１項に記載の携帯型電子機器の充電装置。
【請求項５】
前記充電器本体に複数のポケットを設けてなる請求項１ないし４の何れか１項に記載の携帯型電子機器の充電装置。
【発明の詳細な説明】
【０００１】
【発明の属する技術分野】
本発明は携帯電話機のような携帯型電子機器の充電装置に関する。
【０００２】
【従来の技術】
従来この種の携帯型電子機器には、充電池よりなる電池パックが着脱自在に装着されており、携帯型電子機器を使用している間に電池パックの電池量が減少したり、なくなった場合、充電装置を使用して充電している。
【０００３】
また携帯型電子機器の充電装置としては、例えば特許第２６０５５３７号公報に記載されたものが公知である。
【０００４】
前記公報の充電装置は、携帯電話機本体の背面に小型電池パック及び大型電池パックが選択的に装着できるようになっており、小型電池パックの底面及び大型電池パックの底面には、背面側から同一位置に案内用穴が形成されていて、各案内用穴内には、一対の充電端子が設けられていると共に、小型電池パックの下部背面には、充電器本体の係合用突部に係合する係合用凹部が、そして大型電池パックの下部背面には、前記係合用突部を逃がすための溝が形成され、この溝の下端は開放されている。
【０００５】
一方充電器本体には、携帯電話機本体の下部を挿入するポケットが形成されていて、ポケットの底面には、小型電池パック及び大型電池パックの底面に形成された案内用穴に嵌合する案内用突部が突設されており、これら案内用突部内には、圧縮ばねにより突出方向へ付勢された可動充電端子が設けられている。
【０００６】
前記構成された従来の充電装置で、携帯電話機本体に装着された小型電池パックを充電する場合は、携帯電話機本体の下部を充電器本体のポケット内へ挿入して、小型電池パック底面の案内用穴を、ポケット底面の案内用突部に嵌合し、この状態で小型電池パックの係合用凹部をポケット内の係合突部へ係合する。
【０００７】
これによって案内用突部内に設けられた可動充電端子が圧縮ばねの付勢力で、小型電池パックの案内用穴内に設けられた充電端子に圧接されるため、充電器本体により小型電池パックを充電することができる。
【０００８】
また小型電池パックは軽量のため、圧縮ばねの反発力で携帯電話機本体がポケット内より押し上げられるが、小型電池パックの背面に形成された係合用突部がポケット内の係合用突部に係合されているため、携帯電話機本体がポケット内より押し出されることはない。
【０００９】
一方携帯電話機本体に装着された大型電池パックを充電する場合は、携帯電話機本体の下部を充電器本体のポケット内へ挿入して、大型電池パック底面の案内用穴をポケット底面の案内用突部に嵌合する。
【００１０】
このときポケット内の係合用突部は、大型電池パックの背面に形成された溝により逃すことができると共に、案内用突部内に設けられた可動充電端子が圧縮ばねの付勢力で、大型電池パックの案内用穴内に設けられた充電端子に圧接されるため、充電器本体により大型充電パックを充電することができる。
【００１１】
また大型充電パックは重量が重いことから、圧縮ばねの反発力により携帯電話機本体が押し上げられることがないため、携帯電話機本体がポケット内より押し出されることがない。
【００１２】
【発明が解決しようとする課題】
しかし前記公報の充電装置では、ポケットの背面に沿って携帯電話機本体をポケット内へ挿入しないと、小型電池パックや大型電池パックの底面に形成された案内用穴がポケット底面に突設された案内用突部に嵌合できないことから、例えばポケットの前面に沿うようポケット内に携帯電話機本体を挿入した場合、電池パック側の充電端子と充電器本体側の可動充電端子が接続されないため、電池パックの充電ができなくなるなどの問題がある。
【００１３】
また各電池パックの背面に係合用凹部や溝を、そして底面に案内用穴を形成した構造のため、これら係合凹部や溝、案内用穴を形成するためのスペースを電池パック側に必要として、電池パック内に充電池を設置するためのスペースを十分に確保できず、その結果充電池の容量を大きくできないため携帯電話機の使用時間が短くなってしまうなどの問題がある。
【００１４】
さらに携帯電話機本体の背面に制御部アダプタを取付けると、充電器本体のポケットに携帯電話機本体を挿入できなくなるため、電池パックの充電ができなくなると共に、充電器本体のポケットが１個しかないため業務用などで複数の携帯電話機を使用する場合、携帯電話機毎に充電装置を購入しなければならないため、不経済であるなどの問題もあった。
【００１５】
本発明はかかる従来の問題点を解消するためになされたもので、電池パック側に案内用穴や凹溝などを設ける必要がなく、また本体に制御部アダプタを装着した状態でも電池パックの充電が可能な携帯型電子機器の充電装置を提供することを目的とするものである。
【００１６】
【課題を解決するための手段】
前記目的を達成するため本発明の携帯型電子機器の充電装置は、携帯型電子機器の本体に着脱自在に装着された小型電池パック及び大型電池パックを充電する携帯型電子機器の充電装置であって、各電池パックが装着された本体及び制御部アダプタを介して各電池パックが装着された本体の下部が収容できる大きさのポケットを有する充電器本体と、ポケットの内底面に設けられ、かつポケット内に収容された各電池パックの背面が当接するポケットの後壁との間で本体の収容位置を規定すると共に、制御部アダプタに形成されたガイド溝に嵌入自在なガイド手段とから構成したものである。
【００１７】
前記構成により、各電池パックが装着された本体、及び制御部アダプタを介して各電池パックが装着された本体の下部を充電器本体のポケットに収容すると、ポケットの後壁とガイド手段の間で本体の位置が規定されるため、予め各電池パックの大きさを統一しておくことにより、ポケットの内底面に設けられた充電端子に、各電池パックの底面に設けられた充電端子を確実に接触させることができ、これによって電池パックの充電ができなくなるなどの問題を解消することができると共に、ポケットの内底面に設けられたガイド手段が制御部アダプタに形成されたガイド溝に下方より嵌入するため、本体に制御部アダプタを装着した状態でも電池パックの充電が可能になる。
【００１８】
また各電池パックの背面に係合用凹部や溝を、そして底面に案内用穴を形成する必要がないため、これら係合凹部や溝、案内用穴を形成するためのスペースが不要となり、これによって電池パック内に容量の大きな充電池を設置することができるため、携帯電話機の使用時間が短くなってしまうなどの問題も解消することができる。
【００１９】
前記目的を達成するため本発明の携帯型電子機器の充電装置は、ポケット内に収容された各電池パックの背面が当接するポケットの後壁に、大型電池パックの背面に突設された突出部が嵌入する凹部を形成したものである。
【００２０】
前記構成により、大型電池パックの大きさを小型電池パックの大きさとほぼ同じにしても、電池パック内に容量の大きな充電池を収容することができるため、携帯電話機の使用時を延長することができる。
【００２１】
前記目的を達成するため本発明の携帯型電子機器の充電装置は、ガイド手段を、クサビ状をなす複数の突起により形成したものである。
【００２２】
前記構成により、制御部アダプタを介して各電池パックが装着された本体を充電器本体のポケット内に収容すると、制御部アダプタのガイド溝に確実にガイド手段を嵌入させることができるため、本体の挿入角度を意識せずに本体をポケット内に収容することができ、これによって使い勝手が向上する。
【００２３】
前記目的を達成するため本発明の携帯型電子機器の充電装置は、ポケットの内底面に傾斜する排水路を形成し、かつ排水路の最下部を、ポケットの側壁に形成した切欠きに連通させたものである。
【００２４】
前記構成により、誤って水や飲料などをポケット内にこぼしても、排水路を流下して切欠きよりポケット外へ排出されるため、充電器本体内に設けられた電子部品などが水や飲料などにより損傷を受けたり、発火や発煙の虞がないため、安全性が向上する。
【００２５】
前記目的を達成するため本発明の携帯型電子機器の充電装置は、充電器本体に複数のポケットを設けたものである。
【００２６】
前記構成により、複数の携帯型電子機器を同時に充電することができるため、業務用携帯型電子機器などの場合、利便性が向上すると共に、各携帯型電子機器毎に充電装置を購入する必要がないため、経済的である。
【００２７】
【発明の実施の形態】
本発明の実施の形態を図面を参照して詳述する。
【００２８】
図１に携帯電話機及び携帯電話機に装着された電池パックを充填する充電装置の斜視図、図２は充電装置の斜視図、図３は携帯電話機のバリエーションを示す説明図、図４ないし図７は充電する際の作用説明図である。
【００２９】
携帯電話機本体１には、小型電池パック２と大型電池パック３が選択的に装着できるようになっており、また必要に応じて携帯電話機本体１と電池パック２，３の間に制御部アダプタ４が装着できるようになっている。
【００３０】
図３の（イ）ないし（ニ）は携帯電話機の使用状態のバリエーションを示すもので、図３の（イ）は携帯電話機本体１の背面に小型電池パック２を装着した状態を示し、図３の（ロ）は携帯電話機本体１の背面に大型電池パック３を装着した状態を示す。
【００３１】
図３の（ハ）は携帯電話機本体１と小型電池パック２の間に制御部アダプタ４を装着した状態、図３の（ニ）は携帯電話機本体１と大型電池パック３の間に制御部アダプタ４を装着した状態をそれぞれ示している。
【００３２】
携帯電話機本体１に装着された小型電池パック２及び大型電池パック３は何れもケース２ａ，３ａ内に図示しない充電池が収容されていて、携帯電話機本体１内に設けられた図示しない電子回路に電力を供給するようになっている。
【００３３】
小型電池パック２と大型電池パック３の各ケース２ａ，３ａは、厚み及び外形寸法がほぼ同じに形成されており、大型電池パック３のケース３ａは、容量の大きい充電池が内部に収容できるよう、背景に突出部３ｂが形成されていると共に、各ケース２ａ，３ａの底面には、充電端子５がケース２ａ，３ａより露出するよう設けられている。
【００３４】
制御部アダプタ４は、携帯電話機本体１の背面に装着した際、図示しないインターフェースを介して携帯電話機本体１内の電子回路と接続されて、制御部アダプタ４内で処理したＧＰＳ信号などのデータを携帯電話機本体１内へ送り込むことにより、携帯電話機本体１に付属するアンテナ６よりデータ無線で送信できるようになっていると共に、携帯電話機本体１とほぼ同じ厚みと外形寸法に形成されていて、下部の両側には、充電器本体８に突設された後述するガイド手段９ｈ，１０ｈが下方より嵌入するガイド溝４ａが凹設されている。
【００３５】
一方携帯電話機本体１に装着され小型電池パック２及び大型電池パック３を充電する充電器本体８は、上面の複数個所、例えば２個所にポケット９及び１０が形成されたケース８ａを有している。
【００３６】
各ポケット９，１０の底面９ａ，１０ａと後壁９ｃ，１０ｃは基準面となっていて、底面９ａ，１０ａは前側より後側へ順次低くなるよう傾斜されており、各ポケット９，１０の前壁９ｂ，１０ｂはほぼ垂直に、そして後壁９ｃ，１０ｃは、底面９ａ，１０ａとほぼ直角となるよう後側へ傾斜されていると共に、各後壁９ｃ，１０ｃには、大型電池パック３の背面に突設された突出部３ｂが嵌入する凹部９ｄ，１０ｄが形成されている。
【００３７】
各ポケット９，１０の底面９ａ，１０ａ両側には、使用者が誤ってポケット９，１０内に水や飲料などをこぼした場合にポケット９，１０外へ排水する排水路９ｅ，１０ｅが形成されている。
【００３８】
各排水路９ｅ，１０ｅは後側より前側へ順次低くなるよう傾斜されており、前端の最低部はポケット９，１０の両側壁９ｆ，１０ｆに形成された切欠き９ｇ，１０ｇに連通されていて、排水路９ｅ，１０ｅを流下した水や飲料などは、これら切欠き９ｇ，１０ｇよりポケット９，１０外へ排出されるようになっている。
【００３９】
また各ポケット９，１０の排水路９ｅ，１０ｅの途中には、排水路９ｅ，１０ｅを流下する水などの流れを妨げないよう一対のクサビ状突起よりなるガイド手段９ｈ，１０ｈがほぼ垂直に突設されている。
【００４０】
これらガイド手段９ｈ，１０ｈは、携帯電話機本体１に制御部アダプタ４と小型電池パック２または大型電池パック３を装着した状態で、携帯電話機本体１の下部をポケット９，１０へ挿入し、電池パック２，３の背面を各ポケット９，１０の後壁９ｃ，１０ｃに密着させたときに、制御部アダプタ４の下部に凹設されたガイド溝４ａに下方より嵌入する位置に突設されて、後壁９ｃ，１０ｃとの間で、ポケット９，１０内に挿入された携帯電話機本体１の位置を規定するようになっている。
【００４１】
一方各ポケット９，１０の底面９ａ，１０ａには、携帯電話機本体１の下部をポケット９，１０に挿入した際、携帯電話機本体１に装着された小型電池パック２や大型電池パック３の底面に設けられた充電端子５と接触する可動充電端子１３が設けられている。
【００４２】
可動充電端子１３は、複数のピンにより構成されていて、底面９ａ，１０ａに上下方向へ出没自在に支承されており、圧縮ばね１４により突出方向へ付勢されていると共に、リード線１５により回路基板１６に電気的に接続されている。
【００４３】
回路基板１６は、充電器本体８のケース８ａ内に設置されていて、各ポケット９，１０内に挿入された各電池パック２，３の底面に露出された充電端子５が可動充電端子１３に接触したのを検出すると、電池パック２，３の充電池を充電するための充電電流及びトリクル充電電流を供給するように構成されており、図示しない放電ボタンを押すことにより、充電池を放電するための放電電流も供給できるようになっている。
【００４４】
次に前記構成された充電装置により小型電池パック２や大型電池パック３を充電する際の作用を説明する。
【００４５】
充電に当っては、まず充電器本体８の図示しない電源コードを商用電源に接続し、この状態で充電器本体１の一方のポケット９，１０もしくは両方のポケット９，１０に携帯電話機本体１の下部を図４ないし図７に示すように挿入する。
【００４６】
図４は小型電池パック２を装着した携帯電話機本体１を各ポケット９，１０に収容した状態を示すもので、各ポケット９，１０に携帯電話機本体１の下部を挿入すると、携帯電話機本体１の下部前面がポケット９，１０の内底面に突設されたガイド手段９ｈ，１０ｈにガイドされるため、無意識に挿入するだけで、各ポケット９，１０の基準面である後壁９ｃ，１０ｃに小型電池パック２の背面が密着されて、携帯電話機本体１の位置が規定されると同時に、底面９ａ，１０ａより突出する可動充電端子１３の先端が小型電池パック２の底面に露出する充電端子５に接触される。
【００４７】
このとき可動充電端子１３は、携帯電話機本体１及び小型電池パック２の自重により圧縮ばね１４の付勢力に抗して没入されるが、圧縮ばね１４の付勢力で充電端子５と可動充電端子１３は常時圧接状態に維持されると共に、充電端子５が可動充電端子１３に接続されたのを回路基板１６の電子回路が検出すると、回路基板１６より放電流が供給されて、小型電池パック２の放電が行われる。
【００４８】
次に小型電池パック２の放電が完了したら、小型電池パック２の充電を開始するが、各ポケット９，１０にそれぞれ携帯電話機本体１が収容されている場合は、ポケット９，１０の一方、例えば前側ポケット９に収容された携帯電話機本体１の小型電池パック２より充電が開始され、後側ポケット１０に収容された携帯電話機本体１の小型電池パック２は充電待機状態になる。
【００４９】
そしてポケット９側の小型電池パック２が満充電になると、充電待機状態となっていた後側ポケット１０内の小型電池パック２へ充電電流の供給が切換えられて、後側ポケット１０内の小型電池パック２の充電が開始されると共に、充電の完了した前側ポケット９の小型電池パック２には、自然放電を補うためのトリクル充電に切換えられて、小電流によるトリクル充電が開始される。
【００５０】
その後、後側ポケット１０内の小型電池パック２の充電が完了すると、後側ポケット１０内の小型電池パック２もトリクル充電に切換えられる。
【００５１】
以上は携帯電話機本体１に装着された小型電池パック２を充電する場合であるが、携帯電話機本体１に装着された大型電池パック３を充電する場合も同様な動作となる。
【００５２】
ただ大型電池パック３は、ケース３ａ内に容量の大きい充電池を収容するため、背面に突出部３ｂが突設されている。
【００５３】
しかし各ポケット９，１０の後壁９ｃ，１０ｃには、予め突出部３ｂが嵌合可能な凹部９ｄ，１０ｄが形成されているため、小型電池パック２を携帯電話機本体１に装着したときと同様に、大型電池パック３の背面を各ポケット９，１０の後壁９ｃ，１０ｃに密着させた状態で大型電池パック３の充電が行われるようになる。
【００５４】
一方制御部アダプタ４を介して携帯電話機本体１に装着された小型電池パック２を充電する場合は、図５に示すようになる。
【００５５】
すなわち制御部アダプタ４を介して小型電池パック２が取付けられた携帯電話機本体１の下部を充電器本体８の各ポケット９，１０に挿入すると、各ポケット９，１０の底部に突設されたガイド手段９ｈが制御部アダプタ４のガイド溝４ａに下方より嵌入すると同時に、小型電池パック２の背面が各ポケット９，１０の後壁９ｃ，１０ｃに密着される。
【００５６】
これによって小型電池パック２底面の充電端子５がポケット９，１０底面の可動充電端子１３に接続されて、小型電池パック２の放電が行われた後、各ポケット９，１０に携帯電話本体１が収容されている場合は、前側ポケット９の小型電池パック２の充電が開始され、前側ポケット９の小型電池パック２の充電が完了すると、後側ポケット１０の小型電池パック２の充電が開始され、前側ポケット９の小型電池パック２はトリクル充電状態となる。
【００５７】
また制御部アダプタ４を介して携帯電話機１に装着された大型電池パック３の作用も同様であるが、この場合大型電池パック３の背面に突設された突出部４ｂが図７に示すように各ポケット９，１０の後壁９ｃ，１０ｃに形成された凹部９ｄ，１０ｄ内に収容されるため、小型電池パック２と同様に、大型電池パック３の背面を各ポケット９，１０の後壁９ｄ，１０ｄに密着させた状態で大型電池パック３の充電が行えるようになる。
【００５８】
なお前記実施の形態では、携帯電話機の場合について説明したが、脱着自在な電池パックを有する携帯型電子機器全般に適用できるものである。
【００５９】
【発明の効果】
本発明は以上詳述したように、小型電池パック及び大型電池パックが装着された本体及び制御部アダプタを介して各電池パックが装着された本体の下部が収容できる大きさのポケットを有する充電器本体と、ポケットの内底面に設けられ、かつポケット内に収容された各電池パックの背面が当接するポケットの後壁との間で本体の収容位置を規定すると共に、制御部アダプタに形成されたガイド溝に嵌入自在なガイド手段とから構成したもので、各電池パックが装着された本体及び制御部アダプタを介して各電池パックが装着された本体の下部を充電器本体のポケットに収容すると、ポケットの後壁とガイド手段の間で本体の位置が規定されるため、予め各電池パックの大きさを統一しておくことにより、ポケットの内底面に設けられた充電端子に、各電池パックの底面に設けられた充電端子を確実に接触させることができ、これによって電池パックの充電ができなくなるなどの従来の問題を解消することができると共に、ポケットの内底面に設けられたガイド手段が制御部アダプタに形成されたガイド溝に下方より嵌入するため、本体に制御部アダプタを装着した状態でも電池パックの充電が可能になる。
【００６０】
また各電池パックの背面に係合用凹部や溝を、そして底面に案内用穴を形成する必要がないため、これら係合凹部や溝、案内用穴を形成するためのスペースが不要となり、これによって電池パック内に容量の大きな充電池を設置することができるため、携帯電話機の使用時間が短くなってしまうなどの従来の問題点も解消することができる。
【図面の簡単な説明】
【図１】本発明の実施の形態になる携帯型電子機器の充電装置及び携帯型電子機器を示す斜視図
【図２】本発明の実施の形態になる携帯型電子機器の充電装置を示す斜視図
【図３】（イ）ないし（ニ）は本発明の実施の形態になる携帯型電子機器の充電装置により充電が可能な携帯型電子機器のバリエーションを示す斜視図
【図４】本発明の実施の形態になる携帯型電子機器の充電装置により携帯型電子機器を充電している状態を示す斜視図
【図５】本発明の実施の形態になる携帯型電子機器の充電装置により携帯型電子機器を充電している状態を示す斜視図
【図６】本発明の実施の形態になる携帯型電子機器の充電装置により携帯型電子機器を充電している状態を示す斜視図
【図７】本発明の実施の形態になる携帯型電子機器の充電装置により携帯型電子機器を充電している状態を示す斜視図
【符号の説明】
１      携帯型電子機器の本体
２      小型電池パック
３      大型電池パック
３ｂ    突出部
４      制御部アダプタ
４ａ    ガイド溝
８      充電器本体
９      ポケット
９ｃ    後壁
９ｄ    凹部
９ｅ    排水路
９ｆ    側壁
９ｇ    切欠き
９ｈ    ガイド手段
１０      ポケット
１０ｃ    後壁
１０ｄ    凹部
１０ｅ    排水路
１０ｆ    側壁
１０ｇ    切欠き
１０ｈ    ガイド手段
【図１】
0004324332.tif 000002
【図２】
0004324332.tif 000003
【図３】
0004324332.tif 000004
【図４】
0004324332.tif 000005
【図５】
0004324332.tif 000006
【図６】
0004324332.tif 000007
【図７】
0004324332.tif 000008